(57)【要約】【課題】中紙とスキャナとの摩擦による中紙の搬送ズレの影響を受けずにイメージデータを正しく読み取ることができ、読取精度が向上される光学式読取方法を提供する。【解決手段】密着型スキャナで見開き状態の通帳を一方向に読み取り、その通帳の下頁から読み取ったイメージデータを保存する第一工程と、同じ通帳を逆方向に読み取り、その通帳の上頁から読み取ったイメージデータを保存する第二工程と、下頁から読み取ったイメージデータと上頁から読み取ったイメージデータを上頁と下頁が連続するように結合して完全イメージデータを形成する第三工程と、その完全イメージデータに対して画像解析処理を行う第四工程とで光学式読取方法を構成した。【選択図】  図２
2014023031.tif 000002
【特許請求の範囲】
【請求項１】
密着型スキャナで見開き状態の通帳を一方向に読み取り、その通帳の下頁から読み取ったイメージデータを保存する第一工程と、同じ通帳を逆方向に読み取り、その通帳の上頁から読み取ったイメージデータを保存する第二工程と、下頁から読み取ったイメージデータと上頁から読み取ったイメージデータを上頁と下頁が連続するように結合して完全イメージデータを形成する第三工程と、その完全イメージデータに対して画像解析処理を行う第四工程とで構成したことを特徴とする通帳の光学式読取方法。
【請求項２】
密着型スキャナで見開き状態の通帳を読み取って、読み取ったイメージデータの画像解析を行う通帳の光学式読取装置において、
前記密着型スキャナで見開き状態の通帳を一方向に読み取った時の下頁のイメージデータを格納する第１バッファメモリ、前記密着型スキャナで同じ通帳を逆方向に読み取った時の上頁のイメージデータを格納する第２バッファメモリ、および後記完全イメージデータを格納する第３バッファメモリを有する記憶部と、第１バッファメモリに格納された下頁のイメージデータと第２バッファメモリに格納された上頁のイメージデータとを上頁のイメージデータの末端に下頁のイメージデータの始端が連続するように結合して前記完全イメージデータを形成して、第３バッファメモリに格納し、かつ、その第３バッファメモリに格納された完全イメージデータに対して画像解析処理を行う演算制御部とを備えたことを特徴とする通帳の光学式読取装置。
【請求項３】
請求項２に記載の通帳の光学式読取装置において、
前記演算制御部は、前記密着型スキャナにより得られる通帳のイメージデータの明暗の切替え時点間のビット数をカウントして、または、通帳搬送路に設けられた通帳検出センサからの信号と搬送ステップ数とに基き、通帳の長さを測定する通帳長さ測定手段と、
測定した通帳の長さの二分の一を下頁の長さとし、第１バッファメモリに格納されたイメージデータから下頁分のイメージデータを切り出して第３バッファメモリに格納し、測定した通帳の長さの二分の一を上頁の長さとし、第２バッファメモリに格納されたイメージデータから上頁分のイメージデータを切り出して第３バッファメモリに格納するデータ分割手段と、
第３バッファメモリに格納された上頁分のイメージデータの末端に下頁分のイメージデータの始端が連続するように結合して完全イメージデータとして格納するデータ合成手段と、
第３バッファメモリに格納された完全イメージデータに対して画像解析処理を行う画像解析手段とを含むことを特徴とする通帳の光学式読取装置。
【発明の詳細な説明】
【技術分野】
【０００１】
本発明は、例えば預金通帳、振込み帳などの綴じ目を有する冊子状印刷媒体（以下、「通帳」という。）の光学式読取方法およびその方法を使用するための光学式読取装置に関する。
【背景技術】
【０００２】
図３に例示するように、一般的に、通帳Ｎは、複数の紙葉３１を長手方向中央で綴じたものである。通帳Ｎの見開き状態において、印字された文字が正常の向きである場合の先方側の頁を以下では「上頁」といい、手前側の頁を以下では「下頁」という。通帳Ｎは、光学式読取装置で読み取られるときは、見開き状態で上頁ＵＰを先方側に、下頁ＬＰを手前側に向けて読取装置に挿入される。
【０００３】
通帳Ｎを読み取る従来の光学式読取装置は、見開き状態で挿入された通帳を所定の搬送路に沿って搬送する搬送手段と、搬送される通帳の位置を検知する検知手段と、搬送される通帳を所定の位置で光学式に読み取る読取手段と、通帳の所定の位置に印字する印字手段と、各手段との間で信号の授受をして情報の処理と各手段の制御を行う制御手段とを備えている。
【０００４】
図４に、従来の光学式読取装置ＯＡの具体的構成の一例を示す。モータ４１と、そのモータ４１により回転駆動される搬送ローラ４２と、図示されていない搬送ガイドとが搬送手段を構成し、その搬送手段により搬送される通帳Ｎの位置を検知する通帳検出センサ４３が検知手段を構成し、搬送される通帳Ｎの印刷内容を読取り、読取ったデータを制御部４６に与えるスキャナ４４が読取手段を構成し、通帳Ｎの所定の位置に印字する印字ヘッド４５が印字手段を構成し、モータ４１及び印字ヘッド４５に対して信号を与えて所定の制御を行い、かつ、スキャナ４４から取得するイメージデータの格納および処理を行う制御部４６が制御手段を構成している。
【０００５】
図４には、図面の簡略化のため、搬送ローラ４２が前後２箇所のみに示されているが、他の必要箇所に設けられている。スキャナ４４は、通帳Ｎの綴じ目Ｆ（図３参照）においても安定して読み取らせるため、図示されていないバネなどの付勢手段により通帳に密着される密着タイプである。通帳検出センサ４３は、図４には1個しか示されていないが、通帳の有無、通過を検知するため、複数個が設けられている。制御部４６は、搬送手段により通帳を一定速度で搬送し、通帳検出センサ４３からの検知信号に基いて通帳Ｎを所定の位置に位置決めし、スキャナ４４からイメージデータを取得し、図示されていない上位装置から与えられるデータを用いて取引内容の演算処理を行い、その結果を印字ヘッド４５により通帳Ｎの所定位置に印字する。
【０００６】
従来の光学式読取装置では、通帳Ｎを１方向からのみ読んでいた。その時の通帳の挙動の詳細を、時間を追って図示すると、図５（ａ）〜（ｈ）に示したとおりである。図５において、通帳Ｎの搬送方向は左方向である。
【０００７】
見開き状態の通帳Ｎを上下の搬送ローラ４２で挟んでいても、搬送しているうちに、中紙とスキャナ４４との摩擦によって上頁ＵＰの一番上の中紙が後方にずれてしまう。図５（ａ）,(ｅ)〜（ｈ）のｄ0は綴じ目Ｆの窪みによる通常のズレ量であるのに対し、図５（ｂ）〜（ｄ）においては、中紙とスキャナ４４との摩擦の影響を受けて生じる搬送ズレ量がd１,d２,d３と次第に大きくなり、通帳の綴じ目Ｆがスキャナ４４に向かって接近する時に搬送ズレ量d３が顕著になる。
【０００８】
この大きい搬送ズレ量のため、スキャナ４４から取得したイメージデータが見かけ上、間延びしてしまい、制御部４６による画像処理に支障をきたしてしまうという問題があった。この現象は、通帳Ｎの綴じ目Ｆがスキャナ４４に向かって移動する時に顕著であり、綴じ目Ｆがスキャナ４４から離れる方向に移動する時には問題とならない。
【０００９】
したがって、上記搬送ズレの発生により、通帳Ｎを正方向、例えば図５において左方向に搬送するときは、スキャナ４４は、通帳Ｎの一端から他端まで接触するので、下頁ＬＰは正常に読み取れるが、上頁ＵＰは正常に読み取れない。また、通帳Ｎを逆方向、例えば図５において右方向に搬送するときは、スキャナ４４は、上頁ＵＰは正常に読み取れるが、下頁ＬＰは正常に読み取れない。こうして、従来の通帳の読取方法では、一度のスキャニングでイメージデータを正しく読み取ることができなかったので、読取精度の信頼性に問題があった。
【先行技術文献】
【特許文献】
【００１０】
【特許文献１】特開２００４−２５２９０３号公報
【特許文献２】特許第４４３８９３号公報
【発明の概要】
【発明が解決しようとする課題】
【００１１】
本発明は、上記の点に鑑みてなされたものであり、第一の目的は、中紙とスキャナとの摩擦による中紙の搬送ズレの影響を受けずにイメージデータを正しく読み取ることができ、読取精度が向上される光学式読取方法を提供することにある。第二の目的は、その読取方法を使用するための光学式読取装置を提供することにある。
【課題を解決するための手段】
【００１２】
第一の目的を達成するため、本発明による通帳の光学式読取方法は、密着型スキャナで見開き状態の通帳を一方向に読み取り、その通帳の下頁から読み取ったイメージデータ(下頁データ)を保存する第一工程と、同じ通帳を逆方向に読み取り、その通帳の上頁から読み取ったイメージデータ(上頁データ)を保存する第二工程と、上頁データと下頁データをこの順序に結合して見開き頁の全イメージデータを形成する第三工程と、その全イメージデータに対して画像解析処理を行う第四工程とを有することを特徴とする。
【００１３】
本発明は、第二の目的を達成するため、密着型スキャナで見開き状態の通帳を読み取って、読み取ったイメージデータの画像解析を行う通帳の光学式読取装置において、密着型スキャナで見開き状態の通帳を一方向に読み取った時の下頁のイメージデータを格納する第１バッファメモリ、密着型スキャナで同じ通帳を逆方向に読み取った時の上頁のイメージデータを格納する第２バッファメモリ、および後記完全イメージデータを格納する第３バッファメモリを有する記憶部と、第１バッファメモリに格納された下頁のイメージデータと第２バッファメモリに格納された上頁のイメージデータとを上頁のイメージデータの末端に下頁のイメージデータの始端が連続するように結合して前記完全イメージデータを形成して、第３バッファメモリに格納し、かつ、その第３バッファメモリに格納された完全イメージデータに対して画像解析処理を行う演算制御部とを備えたことを特徴とする。
【００１４】
また、本発明は、上記通帳の光学式読取装置において、演算制御部は、通帳搬送路に設けられた通帳検出センサからの信号に基き通帳の長さを測定する通帳長さ測定手段と、測定した通帳の長さの二分の一を下頁の長さとし、第１バッファメモリに格納されたイメージデータから下頁分のイメージデータを切り出して第３バッファメモリに格納し、測定した通帳の長さの二分の一を上頁の長さとし、第２バッファメモリに格納されたイメージデータから上頁分のイメージデータを切り出して第３バッファメモリに格納するデータ分割手段と、第３バッファメモリに格納された上頁分のイメージデータの末端に下頁分のイメージデータの始端が連続するように結合して完全イメージデータとして格納するデータ合成手段と、第３バッファメモリに格納された完全イメージデータに対して画像解析処理を行う画像解析手段とを含むことを特徴とする。
【発明の効果】
【００１５】
本発明によれば、通帳の一方向の読み取り時には中紙とスキャナの間の摩擦の影響を受けない下頁のイメージデータと、通帳の逆方向の読み取り時には中紙とスキャナの間の摩擦の影響を受けない上頁のイメージデータとから、上頁のイメージデータと下頁のイメージデータを結合して形成された完全イメージデータに対して画像解析処理を行うので、通帳からイメージデータを正しく読み取り、信頼性の高い画像解析処理結果が得られる光学式読取方法を提供することができる。
【００１６】
また、本発明によれば、上記光学式読取方法を実施可能な光学式読取装置を提供することができる。
【図面の簡単な説明】
【００１７】
【図１】本発明の実施の形態の基本的構成を示すブロック図である。
【図２】本発明方法の原理を説明する図である。
【図３】見開き状態の一般的な通帳の斜視図である。
【図４】一般的な光学式読取装置の構成を示す概念図である。
【図５】光学式読取装置における通帳搬送時の問題点を説明する図である。
【発明を実施するための形態】
【００１８】
続いて、本発明の実施の形態について図面を参照しながら説明する。
【００１９】
図１に示すように、本発明方法を使用する光学式読取装置ＮＡは、見開き状態で挿入された通帳を所定の搬送路に沿って搬送する搬送手段（モータと搬送ローラなど）１１と、搬送される通帳の位置を検知する検知手段（通帳検出センサ）1２と、搬送させる通帳を所定の位置で光学式に読み取る読取手段（密着型スキャナ）１３と、通帳の所定の位置に印字する印字手段(印字ヘッド)１４と、各手段との間で信号の授受をして情報の格納、処理と各手段の制御を行う制御手段とを有する点は、図４に示された従来の光学式読取装置ＯＡと同様であるが、本発明では、従来の光学式読取装置ＯＡの制御部４６に代えて、図１に示すような演算制御部１５と記憶部１６とを備えている。
【００２０】
通帳検出センサ1２は、通帳搬送路に沿って複数箇所に設けられている。密着型スキャナ１３は、一直線上に多数のＣＣＤを配設したラインセンサと呼ばれるものであり、通帳搬送路を搬送される通帳に密着するようにバネなどで押圧されている。
【００２１】
演算制御部１５は、通帳長さ測定手段１５１と、読取データ記憶制御手段１５２と、データ分割手段１５３と、データ合成手段１５４と、画像解析手段１５５とを有するほか、光学式読取装置において通帳の搬送のために通常備えられる搬送制御手段１５６と、印字ヘッド１４による通帳Ｎに対する印字を制御するための印字制御手段１５７とを有している。
【００２２】
記憶部１６は、各手段の制御、データ処理などを行うためのプログラムを格納するＲＯＭ１６０と、ワーキングデータを格納するためのＲＡＭとを有する。そのＲＡＭの一部により第１バッファメモリ１６１、第２バッファメモリ１６２、第３バッファメモリ１６３が構成されている。
【００２３】
通帳長さ測定手段１５１は、通帳搬送路に設けてある通帳検出センサ１２からの信号と搬送手段のモータに与えられるパルス数とに基いて、搬送される通帳の長さを測定するものである。
【００２４】
読取データ記憶制御手段１５２は、通帳がスキャナ１３により一方向に読み取られる場合のイメージデータを第１バッファメモリ１６１に格納させるとともに、その格納したイメージデータの中からデータ分割手段１５３により下頁分のイメージデータとして切り出されたイメージデータを第１バッファメモリ１６１に格納させ、通帳がスキャナ１３により逆方向に読み取られる場合のイメージデータを第２バッファメモリ１６２に格納させるとともに、その格納したイメージデータの中からデータ分割手段１５３により上頁分のイメージデータとして切り出されたイメージデータを第２バッファメモリ１６２に格納させ、さらに、データ合成手段１５４により下頁分のイメージデータと上頁分のイメージデータを合成して形成される完全イメージデータを第３バッファメモリ１６３に格納させるものである。
【００２５】
データ分割手段１５３は、通帳長さ測定手段１５１が測定した通帳の長さの二分の一を下頁ＬＰの長さとし、第１バッファメモリ１６１に格納されたイメージデータから下頁分のイメージデータを切り出し、また、通帳長さ測定手段１５１が測定した通帳の長さの二分の一を上頁ＵＰの長さとし、第２バッファメモリ１６２に格納されたイメージデータから上頁分のイメージデータを切り出すものである。
【００２６】
データ合成手段１５４は、第１バッファメモリ１６１に格納された下頁分のイメージデータと第２バッファメモリ１６２に格納された上頁分のイメージデータを合成して完全イメージデータを形成するものである。
【００２７】
続いて、光学式読取装置ＮＡの上記の構成による作用を説明する。作用は次の手順で行われる。
[手順１]
図２の左上側に示すように、まず、搬送手段１１により見開き状態の通帳Ｎを正方向（図２では矢印Ｐ方向）に搬送しながら、スキャナ１３および読取データ記憶制御手段１５２によりその通帳Ｎの「正方向読取り時のイメージデータ」を第１バッファメモリ１６１に取り込む。
【００２８】
これと同時に、通帳長さ測定手段１５１がその通帳Ｎの長さを測定する。この場合、別の通帳検出センサを使うなどして読み取りをスタートし、実際に通帳の存在する位置よりも前後のイメージデータも「正方向読取り時のイメージデータ」として第１バッファメモリ１６１に取り込むが、通帳のイメージは明るく（白く）、通帳以外のイメージは暗く(黒く)読まれるので、明暗が切替わった位置が通帳の先端と終端である。したがって、通帳長さ測定手段１５１は、先端から終端までのビット数をカウントすることにより、通帳の長さが分かる。
【００２９】
そして、データ分割手段１５３は、測定された通帳の長さの二分の一を計算してデータ切り出し長さとし、図２の中間上側に示すように、第１バッファメモリ１６１に取り込まれた「正方向読取り時のイメージデータ」の通帳Ｎの終端の手前に相当する位置からデータ切り出し長さ分のイメージデータを切り出し、その切り出されたイメージデータを読取データ記憶制御手段１５２が図２の右側に示すように、第３バッファメモリ１６３の下頁イメージデータ記憶エリア１６３ｂに格納する。この結果、通帳の正方向搬送時は、通帳の下頁ＬＰのイメージデータのみが第３バッファメモリ１６３に保存される。
【００３０】
[手順２]
続いて、図２の左下側に示すように、通帳搬送路の奥に保持されている通帳Ｎを搬送手段１１により逆方向（図２では矢印Ｍ方向）に搬送しながら、スキャナ１３および読取データ記憶制御手段１５２によりその通帳Ｎの「逆方向読取り時のイメージデータ」を第２バッファメモリ１６２に取り込む。通帳Ｎは、下頁ＬＰから上頁ＵＰに向かってスキャナ１３を通過するので、第２バッファメモリ１６２に格納される「逆方向読取り時のイメージデータ」は、上下が反転したイメージデータとなる。
【００３１】
手順１の場合と同様に、通帳長さ測定手段１５１がその通帳Ｎの長さを測定する。また、手順１の場合と同様に、測定された通帳Ｎの長さの二分の一を計算してデータ切り出し長さとし、図２の中間下側に示すように、第２バッファメモリ１６２に取り込まれた「逆方向読取り時のイメージデータ」の通帳Ｎの終端の手前に相当する位置からデータ切り出し長さ分のイメージデータを切り出し、その切り出されたイメージデータを読取データ記憶制御手段１５２が図２の右側に示すように、第３バッファメモリ１６３の上頁イメージデータ記憶エリア１６３ａに格納する。この場合、切り出されたイメージデータは、通帳Ｎを逆方向に搬送したときのデータであるため、データ合成手段１５４は手順1のときとは上下が逆になるように保存する。つまり、手順1で得た下頁イメージデータと、手順２で得た上頁イメージデータとが、通帳Ｎの上頁ＵＰと下頁ＬＰが綴じ目Ｆ付近で連続するのと同様に、上下に連続するように合成され、完全イメージデータとして第３バッファメモリ１６３に保存される。その結果、上頁ＵＰと下頁ＬＰのイメージデータが完全な形で保存される。
【００３２】
［手順３］
上記の手順２の処理が終了したならば、演算制御部１５の画像解析手段１５５がその完全イメージデータに対して画像解析処理をする。したがって、正しい画像解析処理結果を得ることができる。
【００３３】
[他の実施の形態]
通帳の正方向読取りと逆方向読取りは、どちらを先に行っても良い。通帳長さ測定手段は、上記のようにイメージデータを解析する方法によらずに、他の既知の方法を用いることもできる。例えば、スキャナ１３とは別の光学式通帳検出センサを設置して、その通帳検出センサからの信号と搬送ステップ数とに基づいて通帳の長さを測定することも可能である。
【００３４】
また、イメージデータの切り出し長さは、必ずしも測定した通帳長さの正確に二分の一である必要はない。なぜなら、プリンタの機構やスキャナの特性によっては、測定された通帳長さが実際よりも長めに測定されたり、短めに測定されたりするからである。実験・実証を行って、最適なイメージデータが得られるように、切り出し長さを調整することが望ましい。
【００３５】
上では、スキャナが固定され、通帳が搬送される場合の実施の形態について説明したが、本発明は、通帳は搬送されず、スキャナおよび通帳検出センサが移動される場合の実施の形態にも、適用可能である。
【符号の説明】
【００３６】
ＮＡ    光学式読取装置
１１    搬送手段
１２    通帳検出センサ(検知手段)
１３    スキャナ(読取手段)
１４    印字ヘッド(印字手段)
１５    演算制御部
１６    記憶部
１６１  第１バッファメモリ
１６２  第２バッファメモリ
１６３  第３バッファメモリ
Ｎ      通帳
ＵＰ    上頁
ＬＰ    下頁
Ｆ      綴じ目
【図１】
2014023031.tif 000003
【図２】
2014023031.tif 000004
【図３】
2014023031.tif 000005
【図４】
2014023031.tif 000006
【図５】
2014023031.tif 000007